【手続補正書】
【提出日】平成19年12月13日(2007.12.13)
【手続補正１】
【補正対象書類名】特許請求の範囲
【補正対象項目名】全文
【補正方法】変更
【補正の内容】
【特許請求の範囲】
【請求項１】
第１の形状から第２の形状へと変形するように構成された玩具であって、
前記玩具は、前記第１の形状にあるときは外形が回転対称でユーザの操作に応じて走行面上を転がって移動し、前記第２の形状にあるときはキャラクタを表す形状が現れるように構成されており、
前記玩具は、外部構造体と、内部構造体と、係止手段と、を備え、
前記外部構造体は、組み合わせられたとき隣接する部材と互いに契合し外側表面が前記回転対称を構成するように配置された複数の外部部材と、弾性部材と、を有し、前記外部部材の各々は、前記玩具が前記第１の形状にあるときに前記弾性部材の弾性力に抗して前記係止手段によって前記組み合わせられた状態を維持し、前記第２の形状において前記キャラクタの一部を構成するように配置されており、
前記内部構造体は、前記キャラクタの他の一部を構成する少なくとも一つの内部部材を有し、前記内部部材は、前記玩具が前記第１の形状にあるときに前記組み合わせられた状態にある前記複数の外部部材が構成する収容空間内に収容されて外部から見えないように配置されており、
前記係止手段は、前記玩具の内部に移動可能に配置された磁性体を有し、前記磁性体との間で磁性的に反応する外部磁性部材が前記玩具に近接して存在しないときは、前記複数の外部部材が前記弾性力に抗して組み込まれた状態を維持し、
前記ユーザの操作に応じて転がって走行面上を移動し、前記外部磁性部材が配置された位置で前記磁性体と前記外部磁性部材との間に磁力が作用した場合に、前記磁性体が前記磁力の作用により移動し前記磁性体の移動に連動して前記係止手段の係止状態が解除され、前記複数の外部部材が前記弾性力によって外方向に回動して開かれ、隠れていた前記内部部材が現れ、前記玩具が前記第１の形状から前記第２の形状へと変形し、前記複数の外部部材と前記内部部材とによって構成される前記キャラクタが出現するように構成されてなることを特徴とする、
玩具。
【請求項２】
前記係止手段は、前記磁性体と一体的に前記玩具の中心位置と表面近傍位置との間を直線的に移動する係止部材を有し、前記係止部材の移動によって前記係止状態が解除されることを特徴とする、
請求項１に記載の玩具。
【請求項３】
前記係止手段は、第１の外部回動軸を中心に回動する第１の外部回動部材と、第２の外部回動軸を中心に回動する第２の外部回動部材と、を有し、前記係止状態の解除は、前記第１及び第２の外部回動部材の回動作用によって行われることを特徴とする、
請求項１又は２に記載の玩具。
【請求項４】
前記磁力が作用したとき、前記第１の外部回動部材の回動と、前記第２の外部回動部材の回動と、がこの順で実現されるように構成されてなることを特徴とする、
請求項３に記載の玩具。
【請求項５】
前記複数の外部部材によって構成される前記第１の形状は、略球形状であることを特徴とする、
請求項１から４の何れか一項に記載の玩具。
【請求項６】
前記外部構造体は、前記第２の形状から前記第１の形状へと復元自在に構成され、
前記外部構造体を前記第２の形状から前記第１の形状へと復元させた場合に、前記係止手段による係止状態が実現され、前記外部構造体の前記第１の形状が再度維持されるように構成されてなることを特徴とする、
請求項１から５の何れか一項に記載の玩具。
【請求項７】
前記磁性体及び前記外部磁性部材の少なくとも何れか一方は、磁石であることを特徴とする、
請求項１に記載の玩具。
【請求項８】
第１の形状から第２の形状へと変形するように構成された玩具であって、
前記玩具は、前記第１の形状にあるときは外形が球形でユーザの操作に応じて走行面上を転がって移動し、前記第２の形状にあるときはキャラクタを表す形状が現れるように構成されており、
前記玩具は、外部構造体と、内部構造体と、係止手段と、を備え、
前記外部構造体は、組み合わせられたとき隣接する部材と互いに契合し外側表面が球形を構成するように配置された複数の外部部材と、弾性部材と、を有し、前記外部部材の各々は、前記玩具が前記第１の形状にあるときに前記弾性部材の弾性力に抗して前記係止手段によって前記組み合わせられた状態を維持し、前記第２の形状において前記キャラクタの一部を構成するように配置されており、
前記内部構造体は、前記キャラクタの他の一部を構成する少なくとも一つの内部部材を有し、前記内部部材は、前記玩具が前記第１の形状にあるときに前記組み合わせられた状態にある前記複数の外部部材が構成する収容空間内に収容されて外部から見えないように配置されており、
前記係止手段は、前記玩具の内部に移動可能に配置された磁性体を有し、前記磁性体との間で磁性的に反応する外部磁性部材が前記玩具に近接して存在しないときは、前記複数の外部部材が前記弾性力に抗して組み込まれた状態を維持し、
前記ユーザの操作に応じて転がって走行面上を移動し、前記外部磁性部材が配置された位置で前記磁性体と前記外部磁性部材との間に磁力が作用し、前記磁性体が前記磁力の作用により移動し前記磁性体の移動に連動して前記係止手段の係止状態が解除され、前記複数の外部部材が前記弾性力によって外方向に回動して開かれ、隠れていた前記内部部材が現れ、前記複数の外部部材と前記内部部材とによって構成される前記キャラクタが出現するように構成されてなることを特徴とする、
玩具。
【請求項９】
前記少なくとも一つの内部部材は、前記キャラクタの頭部であり、前記第１の形状のときは前記球形の内部に隠されて配置され、
前記第２の形状のときは、前記頭部と前記回動して開いた前記複数の外部部材との組み合わせによって前記キャラクタが構成されることを特徴とする、
請求項８に記載の玩具。
【請求項１０】
前記玩具は、さらに下側面が球面の下方部材を含み、前記下方部材の上に前記キャラクタの胴体及び頭を構成する前記内部部材が配置され、前記下方部材に前記球面側に開口する孔が設けられ、前記孔内に前記磁性体が可動的に配置されていることを特徴とする、
請求項８に記載の玩具。
【請求項１１】
一つのキャラクタを構成する複数の構成部材と、下部部材と、係止手段と、外部磁性部材との間で作用する磁力により移動するように前記下部部材内に配置された磁性体と、弾性部材と、を備え、前記磁性体に前記磁力が作用していないときは前記弾性部材の弾性力に抗して前記構成部材の少なくともいくつかを前記係止手段によって所定配置に保持することによって第１の形状を維持し、前記磁性体に前記磁力が作用したとき前記磁性体が移動し前記磁性体の移動に連動して前記係止手段が解除されて第２の形状に変形するように構成された玩具であって、
前記複数の構成部材は、少なくとも一つの内部部材と複数の外部部材とを有し、前記外部部材と前記内部部材は前記玩具が前記第２の形状に変形したときに前記一つのキャラクタを構成するように配置されており、
前記第１の形状にあるとき、前記複数の外部部材は、隣接する部材と互いに契合して前記下部部材ととともに前記玩具の外側表面が回転対称形状を構成し内側に収容空間を構成するように配置され、前記外部部材の各々は前記弾性力に抗して保持されて前記回転対称形状が維持され、前記内部部材は、前記収容空間内に収容されて外部から見えないように配置され、前記玩具は、ユーザの転がし操作に応じて前記回転対称形状を維持して走行面上を転がって移動するように構成されており、
前記玩具が転がって走行面上を移動するときに、前記外部磁性部材が配置された位置で作用する前記磁力によって前記磁性体が移動して前記係止手段が解除され、
前記外部部材の各々は解除された前記弾性力によって外方向に回動して開かれ、隠れていた前記内部部材が現れ、前記複数の外部部材と前記内部部材とによって構成される前記キャラクタが出現するように構成されてなることを特徴とする、
玩具。
【請求項１２】
回転対称の状態にある請求項８又は１１に記載の玩具をシュートするシュータと、
前記外部磁性部材を含む走行面と、を備え、
前記玩具が前記シュータを使用して前記走行面に向かってシュートされるように構成されてなることを特徴とする、
ゲーム装置。
【請求項１３】
前記第２の形状のとき各々異なったキャラクタとなる複数種類の前記玩具を含むことを特徴とする、
請求項１２に記載のゲーム装置。